(57)【要約】【課題】  技術情報などの分析に利用する多次元データベースの構築を容易に行うことができると共に、分析対象に対して柔軟に多次元データベースを構築することができ、また、ファイルサイズの低減及びアクセス速度を向上することができる。【解決手段】  本発明の多次元データベース構築システムは、電子化された複数のデータから特定分野分析用として利用する内容を示すキーワードを抽出するキーワード抽出部２と、抽出されたキーワードが属する多次元データベースの次元の項目を生成して設定する次元設定部４と、抽出されたキーワードを多次元データベースの次元として定義した項目と対応させて関連付けるようにメジャー値を設定するメジャー設定部３と、多次元データベースの多次元の各軸にキーワードに関連付けられた項目を配置して多次元データベースを生成する多次元データベース設定部１２と、を備えたものである。【選択図】        図１
2005309984.tif 000002
【特許請求の範囲】
【請求項１】
入力されたデータに対して、予め設定される参照用のデータベースの分析項目に対応して多次元データベースを構築する多次元データベース構築システムにおいて、
電子化された複数のデータから特定分野分析用として利用するキーワードを抽出するキーワード抽出手段と、
予め設定される参照用のデータベースの分析項目を参照することにより、上記キーワード抽出手段により抽出されたキーワードが属する多次元データベースの次元の項目を生成して設定する次元設定手段と、
上記キーワード抽出手段により抽出されたキーワードを多次元データベースの次元として定義した項目と対応させて関連付ける関連付け手段と、
予め設定される参照用のデータベースの分析項目を参照することにより、多次元データベースの多次元の各軸に上記キーワードに関連付けられた項目を配置して多次元データベースを生成する多次元データベース設定手段と、
を備えたことを特徴とする多次元データベース構築システム。
【請求項２】
請求項１記載の多次元データベース構築システムにおいて、
上記多次元データベース設定手段は、上記キーワードに関連付けられた項目に基づいて任意のタイミングで多次元データベースを生成することを特徴とする多次元データベース構築システム。
【請求項３】
請求項１記載の多次元データベース構築システムにおいて、
上記多次元データベース設定手段は、上記キーワードに関連付けられた項目に基づいて多次元データベースから得られるデータを帳票形式により出力することを特徴とする多次元データベース構築システム。
【請求項４】
入力されたデータに対して、予め設定される参照用のデータベースの分析項目に対応して多次元データベースを構築する多次元データベース構築方法において、
電子化された複数のデータから特定分野分析用として利用するキーワードを抽出するキーワード抽出ステップと、
予め設定される参照用のデータベースの分析項目を参照することにより、上記キーワード抽出ステップにより抽出されたキーワードが属する多次元データベースの次元の項目を生成して設定する次元設定ステップと、
上記キーワード抽出ステップにより抽出されたキーワードを多次元データベースの次元として定義した項目と対応させて関連付ける関連付けステップと、
予め設定される参照用のデータベースの分析項目を参照することにより、多次元データベースの多次元の各軸に上記キーワードに関連付けられた項目を配置して多次元データベースを生成する多次元データベース設定ステップと、
を備えたことを特徴とする多次元データベース構築方法。
【請求項５】
請求項４記載の多次元データベース構築方法において、
上記多次元データベース設定ステップは、上記キーワードに関連付けられた項目に基づいて任意のタイミングで多次元データベースを生成することを特徴とする多次元データベース構築方法。
【請求項６】
請求項４記載の多次元データベース構築方法において、
上記多次元データベース設定ステップは、上記キーワードに関連付けられた項目に基づいて多次元データベースから得られるデータを帳票形式により出力することを特徴とする多次元データベース構築方法。
【発明の詳細な説明】
【技術分野】
【０００１】
本発明は、例えば、特許公報等の技術情報を多次元的に分析し、その分析結果が企業経営に及ぼす効果を解析する多次元データベース構築システム及び多次元データベース構築方法に関する。
【背景技術】
【０００２】
従来、特許公報等の技術情報を分析する業務では、表計算ソフトウエアを用いて業務に使用する項目を配置したマトリクスを作成し、そのマトリクスを基に分析担当者がグラフを用いて所望の統計を行うなど人間による加工処理を経由する必要があった。
【０００３】
特許庁から電子データとして発行される特許公報には、書誌的事項の他に、要約、特許請求の範囲、明細書等の文章情報からなる技術情報が掲載されており、これらがキーワード等の指定項目に基づいて機械検索できるように構成されている。そして、この特許公報に掲載されている技術情報に基づき、マップ作成ソフト等で各種指定項目をＹ軸やＸ軸の項目、すなわちマトリクスのマップを作成し、これをディスプレイ画面上に表示し、技術情報群に含まれる特異な傾向を分析することがよく行われていた。
【０００４】
しかしながら、従来のマトリクスのマップにおいては、Ｙ軸やＸ軸に各種指定項目を指定しても、指定項目、例えば所定期間内の出願または公開件数などが数値で表示されるのみであるため、その動向を一目で把握できるようにするには、各年の出願または公開件数等を手作業や専用ソフトを使用してグラフ化しなければならなかった。そして、例えば所定２社の技術分野毎の出願件数の推移を比較検討する場合、各社毎に別々にグラフを作成する必要があり、その労力は膨大なものであった。また、各社の出願件数推移を別々のグラフに並置して比較検討しなければならないため、比較結果が判別しにくいという問題もあった。
【０００５】
そこで、このような問題点に鑑み、特許公報等の技術情報の指定項目について集計し、Ｙ軸指定項目に対する２つのＸ軸指定項目の件数推移等を集計・グラフ化して、グラフ等のマップとして画面上に表示して出願件数の推移等の状況を一目で的確に把握し得る技術情報の表示装置が提案されている（特許文献１参照）。
【特許文献１】特開２００３−１０９０１８号公報
【発明の開示】
【発明が解決しようとする課題】
【０００６】
しかしながら、特許文献１に記載の発明も従来の表計算ソフトウエアを用いてマトリクスを作成する分析方法であるため、分析担当者が表計算ソフトウエアに精通していなければならないという問題が生じる。
【０００７】
また、一般的に、表計算ソフトウエアでは扱うことができるデータ数に制限があり、大量のデータ分析を行う際には、表計算ソフトウエア内に複数のワークシートを定義し、それらにまたがった加工処理を施すなどの工夫が必要であった。そのため、目的とする分析業務以外の作業に多大な労力を要するという不都合があった。
【０００８】
さらに、マトリクスの構成を予め定義しているので、分析中に検索項目が定義範囲外にまで増えることにより分析担当者が当初想定した以上の分析結果を得ることが難しいという問題もあった。
【０００９】
また、グラフ等のマップで表示する方法は、統計情報を表示する点では優れているが、マップの構成を予め定義しなければならないので、データの分析中に、検索項目がマップの定義範囲を超えた場合には対応が難しく、この結果、分析担当者が当初想定した以上の分析結果を得ることが難しいという不都合があった。
【００１０】
このような問題を解決するため、多次元データベースを用いて大量データを多角的に分析することが考えられるが、一般的な多次元データベースを用いたシステムでは、予め汎用または目的別に多次元データベースを設計、構築してあることが常であり、依然として分析担当者が当初想定した以上の分析結果を得ることが困難となっていた。
【００１１】
また、予め多次元データベースを設定、構築してあることから、異なる多次元データベースを設定、構築する際に、別途システム開発を行う必要があるという不都合もあった。
【００１２】
このため、あらゆる条件を網羅するように、一つの多次元データベースに多くの次元を示すディメンションという項目及び対応するデータを追加する方法が考えられるが、これは物理的に多次元データベースのファイルサイズが肥大化する点と、多次元データベースのサイズが巨大となるためにアクセス速度が低下するという問題があった。
【００１３】
本発明は、このような事情に鑑みてなされたものであり、技術情報などの分析に利用する多次元データベースの構築を容易に行うことができると共に、分析対象に対して柔軟に多次元データベースを構築することができる多次元データベース構築システム及び多次元データベース構築方法を提供することを目的とする。
【課題を解決するための手段】
【００１４】
上記課題を解決し、本発明の目的を達成するため、本発明の多次元データベース構築システムは、入力されたデータに対して、予め設定される参照用のデータベースの分析項目に対応して多次元データベースを構築する多次元データベース構築システムにおいて、電子化された複数のデータから特定分野分析用として利用するキーワードを抽出するキーワード抽出手段と、予め設定される参照用のデータベースの分析項目を参照することにより、上記キーワード抽出手段により抽出されたキーワードが属する多次元データベースの次元の項目を生成して設定する次元設定手段と、上記キーワード抽出手段により抽出されたキーワードを多次元データベースの次元として定義した項目と対応させて関連付ける関連付け手段と、予め設定される参照用のデータベースの分析項目を参照することにより、多次元データベースの多次元の各軸に上記キーワードに関連付けられた項目を配置して多次元データベースを生成する多次元データベース設定手段と、を備えたものである。
【００１５】
これによれば、キーワード抽出手段により電子化された複数のデータから特定分野分析用として利用する内容を示すキーワードを抽出し、次元設定手段により抽出されたキーワードが属する多次元データベースの次元の項目を生成して設定するので、分析対象に対して柔軟に多次元データベースを構築することができる。
【００１６】
また、関連付け手段により抽出されたキーワードを多次元データベースの次元として定義した項目と対応させて関連付けて、多次元データベース設定手段により多次元データベースの多次元の各軸に上記キーワードに関連付けられた項目を配置して多次元データベースを生成することにより、関連項目を利用して技術情報などの分析に利用する多次元データベースの構築を容易に行うことができ、また、重複したアクセスをなくすことができるのでファイルサイズの低減及びアクセス速度を向上することができ、さらに、関連項目を配置した帳票形式の出力を容易にすることができる。
【００１７】
また、本発明の多次元データベース構築方法は、入力されたデータに対して、予め設定される参照用のデータベースの分析項目に対応して多次元データベースを構築する多次元データベース構築方法において、電子化された複数のデータから特定分野分析用として利用するキーワードを抽出するキーワード抽出ステップと、予め設定される参照用のデータベースの分析項目を参照することにより、上記キーワード抽出ステップにより抽出されたキーワードが属する多次元データベースの次元の項目を生成して設定する次元設定ステップと、上記キーワード抽出ステップにより抽出されたキーワードを多次元データベースの次元として定義した項目と対応させて関連付ける関連付けステップと、予め設定される参照用のデータベースの分析項目を参照することにより、多次元データベースの多次元の各軸に上記キーワードに関連付けられた項目を配置して多次元データベースを生成する多次元データベース設定ステップと、を備えたものである。
【００１８】
これによれば、キーワード抽出ステップにより電子化された複数のデータから特定分野分析用として利用する内容を示すキーワードを抽出し、次元設定ステップにより抽出されたキーワードが属する多次元データベースの次元の項目を生成して設定するので、分析対象に対して柔軟に多次元データベースを構築することができる。
【００１９】
また、関連付けステップにより抽出されたキーワードを多次元データベースの次元として定義した項目と対応させて関連付けて、多次元データベース設定ステップにより多次元データベースの多次元の各軸に上記キーワードに関連付けられた項目を配置して多次元データベースを生成することにより、関連項目を利用して技術情報などの分析に利用する多次元データベースの構築を容易に行うことができ、また、重複したアクセスをなくすことができるのでファイルサイズの低減及びアクセス速度を向上することができ、さらに、関連項目を配置した帳票形式の出力を容易にすることができる。
【発明の効果】
【００２０】
本発明によれば、技術情報などの分析に利用する多次元データベースの構築を容易に行うことができるので、特許情報の分析用の多次元データベースを用いて、出願年月、企業名及び方策などの次元毎に配列された特許出願件数等の分析を容易に行うことができる。
【００２１】
また、分析中に検索項目が定義範囲を超えて増加した場合でも、分析対象に対して柔軟に多次元データベースを構築することができるので、分析の各タイミングで多様に多次元データベースを構築することにより、分析担当者が当初想定した以上の分析結果を得ることができる。
【００２２】
また、関連項目の生成により重複したアクセスをなくすことができるので、ファイルサイズの低減及びアクセス速度を向上することができ、さらに、関連項目を配置することにより帳票形式の出力を容易に行うことができる。
【発明を実施するための最良の形態】
【００２３】
以下、本発明の実施の形態について、適宜図面を参照しながら説明する。
図２は、多次元データベース構築システムの構成図である。
図２に示すように、本実施の形態の多次元データベース構築システムにおいては、クライアント２４となる各端末（クライアントＰＣ１、クライアントＰＣ２、・・・クライアントＰＣＮ）からインターネットエクスプローラーなどのウエブブラウザを使用して、ネットワーク（ＬＡＮ）２３を介してサーバ２１がアクセスされると、サーバ２１においてデータの定義や関連付け処理及び分析が行われる。そして、サーバ２１は分析結果をクライアント２４に出力するように構成されている。
【００２４】
サーバ２１は、ネットワーク（ＬＡＮ）２３上のアクセスに対して通信を可能とするウエブサーバ２２と、入力されたデータから特定分野分析用として利用する内容を示すキーワードを抽出し、抽出されたキーワードを多次元データベースの次元として定義した項目と対応させて関連付けるリレーショナルデータベース１と、予め設定される参照用のデータベースの分析項目を参照することにより、キーワードに関連付けられた項目を多次元の各軸に配置して生成される多次元データベース１１とを備えている。
なお、ここでいう特定分野分析用とは、例えば、特許情報を元に、企業の技術力を評価するような分析に用いられるものをいう。
【００２５】
図３は、多次元データベース構築システムの構成例を示す図である。
図３において、サーバ２１は、演算装置として機能するものあり、動作プログラムなどを記憶するＲＯＭ（Read Only Memory）２５と、制御を司る中央処理部のＣＰＵ（Central Processing Unit）２６と、処理データを記憶するＲＡＭ（Random Access Memory）２７と、予め参照用のデータベースの分析項目などを記憶するＨＤＤ（Hard Disc Drive）２８と、ネットワーク（ＬＡＮ）２３を介してクライアント２４と通信をする通信部２９とから構成される。
【００２６】
クライアント２４は、表示装置として機能するものであり、ネットワーク（ＬＡＮ）２３を介してサーバ２１と通信をする通信部３１と、動作プログラムなどを記憶するＲＯＭ３２と、制御を司る中央処理部のＣＰＵ３３と、処理データを記憶するＲＡＭ３４と、外部装置との入出力処理を行う入出力部３５とから構成される。
【００２７】
入出力部３５からの出力は表示器３６に表示され、入出力部３５に対してＣＤ−ＲＯＭ（Compact disk−ＲＯＭ）等のディスクドライブ３７、キーボード３８、マウス３９などからデータが入力されるように構成されている。
【００２８】
このように構成された多次元データベース構築システムの特徴的な構成を有するサーバ側の機能について説明する。
図１は、本発明の実施の形態による多次元データベース構築システムのサーバ側の機能ブロック図である。
本発明の実施の形態による多次元データベース構築システムは、図２に示したクライアント２４からネットワーク（ＬＡＮ）２３を介して入力されたデータに対して、予め設定される参照用のデータベースの分析項目に対応して多次元データベースを構築するものである。
【００２９】
図１において、リレーショナルデータベース１は、電子化された複数のデータから特定分野分析用として利用するキーワードを抽出するキーワード抽出部２と、予め設定される参照用のデータベースの分析項目を参照することにより、キーワード抽出部２により抽出されたキーワードが属する多次元データベースの次元の項目を生成して設定する次元設定部４と、キーワード抽出部２により抽出されたキーワードを多次元データベースの次元として定義した項目と対応させて関連付けるようにメジャー値を設定するメジャー設定部３と、予め設定される参照用のデータベースの分析項目を記憶するデータベース６と、参照用のデータベース６のファイルを設定するデータベース設定部５とを備えている。
【００３０】
また、多次元データベース１１は、予め設定される参照用のデータベースの分析項目を参照することにより、多次元データベースの多次元の各軸にキーワードに関連付けられた項目を配置して多次元データベースを生成する多次元データベース設定部１２と、予め設定される参照用のデータベースの分析項目を記憶するデータベース６及びキーワード抽出部２により抽出されたキーワードを参照可能に記憶したメモリ部１３と、キーワードに関連付けられた項目に基づいて多次元データベースから得られるデータをクライアント２４からの指示に基づいて分析する分析部１４と、キーワードに関連付けられた項目に基づいて多次元データベースから得られるデータを出力するレポート出力部１５とを備えている。
【００３１】
ここで、多次元データベース設定部１２は、キーワードに関連付けられた項目に基づいて任意のタイミングで多次元データベースを生成するように構成されている。
【００３２】
また、レポート出力部１５は、キーワードに関連付けられた項目に基づいて多次元データベースから得られるデータを帳票形式により出力するように構成されている。
【００３３】
図４は、多次元データベースの構築手順を示す図である。多次元データベース構築システムは、図４に示すように、メンテナンス４３、データ入力４４、及び分析４５の各フェーズ４１から成り立ち、それぞれ目的に応じた処理４２が行われる。
【００３４】
図４において、まず、メンテナンスフェーズ４３では、例えば特許データをシステム内で使用するキーワードへ関連付けることができるように予めキーワードを設定するキーワード設定処理が行われ（ステップＳ１）、続いて多次元分析が行われる際に使用される次元を設定する次元設定処理が行われる（ステップＳ２）。また、これと併行して、システム内で使用するデータベースを設定するデータベース設定処理が行われ（ステップＳ３）、続いて多次元分析が行われる際に使用されるメジャーを設定するメジャー設定処理が行われる（ステップＳ４）。このように、このメンテナンスフェーズ４３では、予め使用されることが予測される雛形となるキーワード及びデータベース、次元及びメジャーの設定処理が行われる。
【００３５】
次に、データ入力フェーズ４４では、例えば特許データファイルの読込処理が行われ（ステップＳ５）、続いて読み込まれたデータをキーワードに関連付けるデータ・キーワード関連付処理が行われる（ステップＳ６）。このデータ入力フェーズ４４では、予めメンテナンスフェーズ４３で設定されたキーワード及びデータベース、次元及びメジャーに対して、適宜、入力されたデータから特定分野分析用として利用するキーワードを抽出し、抽出されたキーワードが属する多次元データベースの次元の項目を生成して設定すると共に、キーワードを多次元データベースの次元として定義した項目と対応させて関連付けるように処理される。
【００３６】
そして、分析フェーズ４５では、まず、キーワードと関連付けたデータを多次元データベースの形に加工する多次元データベース設定処理が行われる（ステップＳ７）。そして、多次元データベースを参照しながら分析する多次元分析処理が行われる（ステップＳ８）。最後に、または分析処理がない場合には直接、多次元データベースの詳細な内容を帳票形式によりレポート出力するレポート出力処理が行われる（ステップＳ９）。
【００３７】
図５は、多次元データベース構築の動作を示すフローチャートである。図５は、図１に示した本発明の実施の形態による多次元データベース構築システムのサーバ側の機能ブロック図の各部の構成に対応する動作を示すものである。
【００３８】
図５において、まず、クライアント２４からサーバ２１にデータが入力される（ステップＳ１１）。図２に示したクライアント２４からネットワーク（ＬＡＮ）２３を介してサーバ２１にデータが入力される。
【００３９】
次に、図２に示したサーバ２１のリレーショナルデータベース１のキーワード抽出部２（図１参照）が、電子化された複数のデータから特定分野分析用として利用する内容を示すキーワードを抽出する（ステップＳ１２）。
【００４０】
ここで、図１に示したリレーショナルデータベース１の次元設定部４が、予め設定される参照用のデータベースの分析項目を参照することにより、キーワード抽出部２により抽出されたキーワードが属する多次元データベースの次元の項目を生成して設定する（ステップＳ１３）。この参照用のデータベースの分析項目の参照は、次元設定部４が、予め設定される参照用のデータベースの分析項目を記憶するデータベース６と、データベース６を設定するデータベース設定部５とに対して行う。
【００４１】
また、図１に示したリレーショナルデータベース１のメジャー設定部３が、キーワード抽出部２により抽出されたキーワードを多次元データベースの次元として定義した項目と対応させて関連付けるようにメジャー値を設定する（ステップＳ１４）。
【００４２】
そこで、図１に示した多次元データベース１１の多次元データベース設定部１２は、予め設定される参照用のデータベースの分析項目を参照することにより、多次元データベースの多次元の各軸にキーワードに関連付けられた項目を配置して多次元データベースを生成して構築する（ステップＳ１５）。この参照用のデータベースの分析項目の参照は、多次元データベース設定部１２が、予め設定される参照用のデータベースの分析項目を記憶するデータベース６及びキーワード抽出部２により抽出されたキーワードを参照可能に記憶したメモリ部１３に対して行う。
【００４３】
そして、図１に示したサーバ２１の多次元データベース１１の分析部１４は、キーワードに関連付けられた項目に基づいて多次元データベースから得られるデータをクライアント２４からの指示に基づいて分析する（ステップＳ１６）。
【００４４】
最後に、レポート出力部１５は、キーワードに関連付けられた項目に基づいて多次元データベースから得られるデータ及び分析結果を出力する（ステップＳ１７）。
【００４５】
次に、具体的なキーワード抽出、抽出されたキーワードが属する多次元データベースの次元の項目設定、キーワードを多次元データベースの次元として定義した項目と対応させる関連付けの各例を図６に基づいて説明する。
【００４６】
図６は、特許情報からキーワードを介して多次元データベースの次元（ディメンション）を構築する例を示す図である。
図６において、例えば、特許抄録６１から矢印６２で示すキーワード抽出を行うことにより、キーワード６３で示す、微生物６３−１、電気６３−２、一定量６３−３を抽出する。ここでは、分析に使用する用語は、予め予測して設定されているものを参照しながらキーワードとして抽出される。
【００４７】
次に、矢印６４で示すようにキーワードとの関連付けを行う多次元データベースの次元（ディメンション）を定義する。ここでは、６６で示すように、予め予測して設定されている動力源６５−１を分析するための次元（ディメンション）６５を構築する場合に、動力源６５−１の下位の項目のガソリン６５−１−１、水素６５−１−２、太陽６５−１−３、微生物６５−１−４の中の「微生物」６５−１−４という値をキーワード６３の「微生物」６３−１と関連付けることによって、特許抄録６１を「動力源−微生物」の情報として定義することができる。
【００４８】
また、６７で示すように、予め予測して設定されている電池種類６５−２を分析するための次元（ディメンション）６５を構築する場合に、電池種類６５−２の下位の項目のリチウム電池６５−２−１、燃料電池６５−２−２、太陽電池６５−２−３、バイオマス６５−２−４の中の「バイオマス」６５−２−４という値をキーワード６３の「微生物」６３−１、「電気」６３−２と関連付けることによって、特許抄録６１を「電池種類−バイオマス」の情報として定義することができる。
【００４９】
ここでは、次元（ディメンション）６５を構築する際に、次元（ディメンション）６５の最下位層の項目をキーワードと関連付ける。これにより、一度集出したキーワードを用いて、複数の次元（ディメンション）６５を構築することができる。
【００５０】
図７は、次元（ディメンション）のツリー構造を示す図である。
図７において、次元（ディメンション）の分析軸７１が年月のとき、下位の項目はツリー状７２に第１四半期７２−１、第２四半期７２−２、第３四半期７２−３、第４四半期７２−４で構成され、さらに、第１四半期７２−１の下位の項目はツリー状７３に、４月７３−１、５月７３−２、６月７３−３で構成される。
【００５１】
このように、次元（ディメンション）は、多次元データベースにおける分析の軸を定義するものであり、１つ１つの次元（ディメンション）はツリー構造で定義され、ツリーの展開や選択を行うことにより、多角的な分析をすることができる。ここで、ツリーの展開では、ドリルダウン、ドリルアップがあり、ツリーの選択には、スライスがある。
【００５２】
これらの次元（ディメンション）は多次元データベースの作成時に任意のタイミングで変更して新たな次元（ディメンション）を設定することができる。
【００５３】
図８は、次元（ディメンション）のツリー構造とメジャーを示す図である。
図８において、次元（ディメンション）の分析軸８１が年月のとき、下位の項目であるメジャー値８２は第１四半期８２−１、第２四半期８２−２、第３四半期８２−３、第４四半期８２−４で構成され、さらに、第１四半期８２−１の下位の項目のメジャー値８３は、４月８３−１、５月８３−２、６月８３−３で構成される。
【００５４】
このように、次元（ディメンション）のメジャー値は、多次元データベースにおける分析の対象となるデータに相当する項目を定義するものであり、次元（ディメンション）のツリー構造に沿ったデータが格納されており、次元（ディメンション）の展開や選択によって出力されるデータが変化する。
【００５５】
例えば、次元（ディメンション）のメジャー値の定義において、上位層が下位層の合計値であると定義されている場合、それぞれのメジャー値８３が、４月８３−１＝３、５月８３−２＝２、６月８３−３＝１とすると、メジャー値８２の第１四半期８２−１＝６となる。
【００５６】
これらの次元（ディメンション）のメジャー値は多次元データベースの作成時に任意のタイミングで変更して新たな次元（ディメンション）のメジャー値を設定することができる。
【００５７】
図９は、多次元データベースの概念を示す図である。
図９において、次元（ディメンション）の分析軸が、企業名９１、年月９２及び方策９３における、分析対象のデータを示すメジャー値が特許出願数９４である場合の多次元データベースを示している。
【００５８】
ここで、多次元データベースとは、ある事象に対して、分析軸となる次元（ディメンション）と分析対象のデータであるメジャー値を設定し、分析軸の入れ替えや展開により、分析対象のデータであるメジャー値の分布などの特性を、高速かつ多角的に分析することができるものである。
【００５９】
これらの多次元データベースの次元（ディメンション）は多次元データベースの作成時に任意のタイミングで変更して新たな次元（ディメンション）を設定することができる。
【００６０】
図１０は、分析結果のレポート出力を示す図である。
図１０において、例えば、発明の名称１０１がＡ１０４のとき、抄録１０２からキーワード１０７が抽出され、このキーワード１０７と次元１０３のうちのメジャー値としてコンピュータ１０３−１、電気１０３−４及びコスト１０３−６が関連付けられることを示している。
【００６１】
また、発明の名称１０１がＢ１０５のとき、抄録１０２からキーワード１０８が抽出され、このキーワード１０８と次元１０３のうちのメジャー値としてエネルギー１０３−２、電気１０３−４及び品質１０３−７が関連付けられることを示している。
【００６２】
また、発明の名称１０１がＣ１０６のとき、抄録１０２からキーワード１０９が抽出され、このキーワード１０９と次元１０３のうちのメジャー値として環境１０３−３、光１０３−５及びコスト１０３−６が関連付けられることを示している。
【００６３】
この分析結果のレポート出力は、図１に示したサーバ２１の多次元データベース１１のレポート出力部１５から、クライアント２４に出力されて、クライアント２４上で表示される。
【図面の簡単な説明】
【００６４】
【図１】本発明の実施の形態による多次元データベース構築システムのサーバ側の機能ブロック図である。
【図２】多次元データベース構築システムの構成図である。
【図３】多次元データベース構築システムの構成例を示す図である。
【図４】多次元データベースの構築手順を示す図である。
【図５】多次元データベース構築の動作を示すフローチャートである。
【図６】特許情報からキーワードを介して次元（ディメンション）を構築する例を示す図である。
【図７】次元（ディメンション）のツリー構造を示す図である。
【図８】次元（ディメンション）のツリー構造とメジャーを示す図である。
【図９】多次元データベースの概念を示す図である。
【図１０】分析結果のレポート出力を示す図である。
【符号の説明】
【００６５】
１…リレーショナルデータベース、２…キーワード抽出部、３…メジャー設定部、４…次元設定部、５…データベース設定部、６…データベース、１１…多次元データベース、１２…多次元データベース設定部、１３…メモリ部、１４…分析部、１５…レポート出力部、２１…サーバ、２２…ウエブサーバ、２３…ネットワーク（ＬＡＮ）、２４…クライアント、４１…フェーズ、４２…処理、４３…メンテナンス、４４…データ入力、４５…分析、６１…特許抄録、６２…キーワード抽出、６３…キーワード、６３−１…微生物、６３−２…電気、６３−３…一定量、６４…キーワードとの関連付け、６５…次元（ディメンション）、６５−１…動力源、６５−１−１…ガソリン、６５−１−２…水素、６５−１−３…太陽、６５−１−４…微生物、６６…「動力源−微生物」、６５−２…電池種類、６５−２−１…リチウム電池、５−２−２…燃料電池６、６５−２−３…太陽電池、６５−２−４…バイオマス、６７…「電池種類−バイオマス」、７１…年月、７２…ツリー状、７２−１…第１四半期、７２−２…第２四半期、７２−３…第３四半期、７２−４…第４四半期、７３…ツリー状、７３−１…４月、７３−２…５月、７３−３…６月、８１…年月、８２…メジャー値、８２−１…第１四半期、８２−２…第２四半期、８２−３…第３四半期、８２−４…第４四半期、８３…メジャー値、８３−１…４月、８３−２…５月、８３−３…６月、９１…企業名、９２記号年月、９３…方策、１０１…発明の名称、１０２…抄録、１０３…次元、１０３−１…コンピュータ、１０３−２…エネルギー、１０３−３…環境、１０３−４…電気、１０３−５…光、１０３−６…コスト、１０３−７…品質、１０４…Ａ、１０５…Ｂ、１０６…Ｃ、１０７…キーワード、１０８…キーワード、１０９…キーワード
【図１】
2005309984.tif 000003
【図２】
2005309984.tif 000004
【図３】
2005309984.tif 000005
【図４】
2005309984.tif 000006
【図５】
2005309984.tif 000007
【図６】
2005309984.tif 000008
【図７】
2005309984.tif 000009
【図８】
2005309984.tif 000010
【図９】
2005309984.tif 000011
【図１０】
2005309984.tif 000012